【事件の表示】
　特願２００７−２４４５６４「液晶表示装置のバックライト装置、及び液晶表示装置」拒絶査定不服審判事件〔平成２０年　２月２１日出願公開、特開２００８−　４１６７２〕について、次のとおり審決する。
【結　論】
　本件審判の請求は、成り立たない。
【理　由】
１．手続きの経緯・本願発明 
　本願は、平成１８年７月２８日（優先権主張平成１７年９月６日、平成１７年１１月３０日）に出願した特願２００６−２０６６２５号の一部を平成１９年９月２１日に新たな特許出願としたものであって、その請求項１に係る発明（以下「本願発明」という。）は、明細書および図面の記載からみて、本願の特許請求の範囲の請求項１に記載された次の事項により特定されるとおりのものと認める。
　
　「【請求項１】
  液晶パネルを照射する光を発する光源と、
  該光源を保持するランプクリップと、
  該ランプクリップの係止部を係止する被係止板とを備え、
  該被係止板は、前記係止部が挿入される挿入孔と、該挿入孔に連通して設けられた保持孔とを有することを特徴とする液晶表示装置用バックライト装置。」
　
２．引用刊行物記載の発明 
（２−１）これに対して、原査定の拒絶の理由に引用された特開２００５−１９４２０号公報（平成１７年１月２０日公開、以下「引用例１」という。）には、「バックライト装置及び液晶表示装置」に関する発明が開示されており、そこには、図面とともに次の事項が記載されている。 
　
・「【請求項１】
  光源を支持する支持部と、係止部とが一体に成型された光源支持装置の前記係止部を、被装着板に設けられた貫通孔に装着し、前記光源を支持するバックライト装置であって、
  前記光源支持装置の少なくとも一部を光透過防止手段によって成型し、
  前記被装着板に装着したときに、前記光源から発せられる光が、前記貫通孔を介して前記被装着板の光源側とは相対する側へ透過することを防止することを特徴とするバックライト装置。」
　
・「【０００１】
  本発明は、光源を支持する装置に関するものであり、例えば液晶表示装置のバックライト装置に使用されるものである。
【背景技術】
【０００２】
  近年、液晶表示装置にも非常に大型のものが開発されている。このような大型の液晶表示装置には、液晶パネルと並行に蛍光管を配置したバックライトが用いられるようになっている。」
　
　これらの記載事項によると、引用例１には、
　
「液晶パネルと並行に配置された光源と、光源を支持する支持部と係止部とが一体に成型された光源支持装置と、光源支持装置の係止部を装着する被装着板とを備え、被装着板は、係止部が装着される貫通孔が設けられている、液晶表示装置のバックライト装置。」の発明（以下「引用例１記載の発明」という。）が記載されていると認められる。
　
（２−２）また、原査定の拒絶の理由に引用された特開平１０−３２６５１６号公報（平成１０年１２月８日公開、以下「引用例２」という。）には、「蛍光灯用反射板組立」に関する発明が開示されており、そこには、図面とともに次の事項が記載されている。 
　
・「【請求項１】  蛍光灯を利用した照明器具に取り付ける反射板組立であって、蛍光灯の長手方向に沿った複数の折れを有しており照度を上昇させるための反射板と、該反射板を蛍光灯の管部に取り付けるための取付具とからなり、前記取付具は頭部と首部とを有する第１のボス及び該ボスより高さが低い第２のボスを含む係合部と、蛍光灯の管部をはめ込んで固定するためのホルダ部とを備えており、前記反射板は前記第１のボスの頭部を挿入するべく設けられた挿入部分及び前記第１のボスの首部と係合して前記取付具を保持する保持部分を有する第１の穴と、前記第１のボスを前記第１の穴に挿入した後移動して前記首部を前記保持部分と係合させた際に前記第２のボスを受容して前記取付具を前記反射板に固定するべく設けられた第２の穴とを備えていることを特徴とする蛍光灯用反射板組立。」
　
・「【００４０】
【発明の効果】本願の第１の発明の蛍光灯用反射板組立によれば、取付具の２種類のボスと反射板に設けられた対応する２種類の穴の形状を工夫して、第１のボスの頭部を穴に挿入した後に移動させて２種類のボスを対応する穴と係合させて固定するようにしたため、反射板を固定するのにネジ等の他の部品や工具を用いる必要がなく、容易に反射板を照明器具に取り付けることができる。取付作業に困難や危険を伴うことがないので、購入者自身が容易に反射板を取り付けることができる。加えて、反射板を取り外すことも困難や危険を伴うことなしに容易に行うことができる。」
　
３．対比 
　本願発明と引用例１記載の発明を対比すると、後者における「液晶パネルと並行に配置された光源」は、前者における「液晶パネルを照射する光を発する光源」に相当し、後者における「光源を支持する支持部と係止部とが一体に成型された光源支持装置」は、前者における「該光源を保持するランプクリップ」に相当する。また、後者における「光源支持装置の係止部を装着する被装着板」は、前者における「該ランプクリップの係止部を係止する被係止板」に相当する。
　また、後者における「係止部が装着される貫通孔」と、前者における「係止部が挿入される挿入孔と、該挿入孔に連通して設けられた保持孔」とは、「係止部を係止するために設けられた孔」である点で共通する。
　また、後者における「液晶表示装置のバックライト装置」は、前者における「液晶表示装置用バックライト装置」に相当する。
　
　したがって、両者は、
　
「液晶パネルを照射する光を発する光源と、
  該光源を保持するランプクリップと、
  該ランプクリップの係止部を係止する被係止板とを備え、
  該被係止板は、係止部を係止するために設けられた孔を有する液晶表示装置用バックライト装置」である点で一致し、次の点において相違する。
　
［相違点］
　「係止部を係止するために設けられた孔」について、本願発明においては、「係止部が挿入される挿入孔と、該挿入孔に連通して設けられた保持孔」であるのに対し、引用例１記載の発明においては、「係止部が装着される貫通孔」である点。
　
４．判断 
　相違点について検討すると、引用例２には、反射板を蛍光灯の管部に取り付けるための取付具に設けられた頭部と首部とを有する第１のボスを反射板に係止するために反射板に設けられた穴ではあるが、第１のボスの頭部を挿入するべく設けられた挿入部分及び第１のボスの首部と係合して取付具を保持する保持部分を有する穴とすることにより、取り付け、取り外しを容易とすることが記載されており、引用例１記載の発明において、光源の取り付け、取り外しを容易にするために、「係止部を係止するために設けられた孔」として、単に、引用例２に記載されたような挿入部分、保持部分を有するようなものを採用する程度のことは、当業者にとって、容易に想到し得ることにすぎない。また、本願発明において、引用例１記載の発明に、単に、引用例２に記載された上記事項を適用した以上の何らかの工夫があるとも認められず、本願発明が、当業者にとって格別なものであるとは認めることができない。
　
　そして、本願発明の構成によってもたらされる効果も、引用例１記載の発明、引用例２に記載された事項から当業者が予測し得る程度のものである。
　
５．むすび 
　したがって、本願発明は、引用例１記載の発明、引用例２に記載された事項に基づいて当業者が容易に発明をすることができたものであるので、特許法第２９条第２項の規定により特許を受けることができない。
　よって、結論のとおり審決する。